(57)【要約】【課題】本発明は、ヒンジ接続部分が多くなく、より簡単に製造できる折畳みヘルメットを提供する。また、折畳みも、簡単であり、高さ方向に収納スペースも減少できる折畳みヘルメットを提供する。【解決手段】ヘルメットが上下に2分割された上帽体１と下帽体２と、上帽体１と下帽体２を係合分離可能にする結合手段３とを有し、下帽体２には、上帽体１とヒンジ４で接続され、かつ、回動軸５により回動自在である回動部６、がある折畳みヘルメット。【選択図】図３
2019194376.tif 000002
【特許請求の範囲】
【請求項１】
ヘルメットが上下に2分割された上帽体１と下帽体２と、上帽体１と下帽体２を係合分離可能にする結合手段３とを有し、下帽体２には、上帽体１とヒンジ４で接続され、かつ、回動軸５により回動自在である回動部６、がある折畳みヘルメット。
【発明の詳細な説明】
【技術分野】
【０００１】
本発明は、作業用、運転用、スポーツ用、防災用などの折畳みヘルメットに関する。主に、自転車用として有用な折畳みヘルメットに関する。
【背景技術】
【０００２】
サイクリングなどの屋外活動のための保護用ヘルメットは一般的に形状が頭頂部の形状にほぼ従う半球状であり、着用されないときに保管したりバッグの中などに入れたりするには一般的に嵩があり扱いにくい。
【０００３】
そこで、折畳めるヘルメットが提案されている。例えば、特許６０２６４２１号には、主に自転車用として、ヘルメットを構成する各パネルが隣接するパネルとヒンジ接続され、左右から押し畳む圧潰可能ヘルメットが開示されている。
【先行技術文献】
【特許文献】
【０００４】
【特許文献１】特許６０２６４２１号公報
【発明の概要】
【発明が解決しようとする課題】
【０００５】
しかし、このヘルメットはヒンジ接続部分が多く、製造に手間がかかる。本発明は、このようなヒンジ接続部分少なく、より簡単に製造できる折畳みヘルメットを提供する。
【課題を解決するための手段】
【０００６】
即ち、本発明は、ヘルメットが上下に2分割された上帽体１と下帽体２と、上帽体１と下帽体２を係合分離可能にする結合手段３とを有し、下帽体２には、上帽体１とヒンジ４で接続され、かつ、回動軸５により回動自在である回動部６、がある折畳みヘルメットである。
【０００７】
本発明は、頭の入口側を下とし、頂側を上としたとき、ヘルメットが上下に２分割されている。
上帽体１と下帽体２は、ポリカーネートやＡＢＳ樹脂のような硬質の合成樹脂また衝撃を吸収するための発泡スチロールのような軟質の合成樹脂からのみなっていてもいいし、硬質の合成樹脂の内側に衝撃を吸収するための発泡スチロールのような軟質の合成樹脂あってもいい。
【０００８】
上帽体１と下帽体２の分割位置は、上帽体１が回動部６とヒンジ４より下帽体の上から内側へ、又は内側から上へと、下帽体２の外側を回動するように適宜決めうる。
下帽体２には、通常、汗止め、あご紐、ヘッドバンドなど公知の内装部品を着脱自在に適宜設けることができる。
【０００９】
結合手段３は、上帽体１と下帽体２に係合分離可能にできるものであればよく、公知のものが適宜使用されていい。
例えば、図７に示すように差込式のバックル式でもいい。上帽体１の頭の入口側の縁部下向き面に下向けに雄の係合部３１がついており、下帽体２の頂側の縁部上向き面に雌の係合部３２が係合部３１に対向してついている。雄の係合部３１のサイドの両側を指で押すと係合がはずれる。
【００１０】
また、図８に示すレバー式のものでもいい。下帽体２に取り付けられた台座３３と、台座３３のピン３４を中心に回動自在なレバー３５と、レバー３５に設けられかつピン３６を中心に回動自在な継手３７と、継手３７に連結するフック３８とフック３８を係止する、上帽体１に取り付けられた係止部３９とからなる。レバー３５が矢印Ａ方向に移動すると結合状態が解除される。
【００１１】
また、図９に示すフック式のものでのいい。上帽体１の側面の一部が下に出張った出っ張り部分３１０を有し、その先端が下に鋭角を有する三角状突起３１１となっている。下帽体２の側面の一部は出っ張り部分３１０に対応し、内側にへこんだへこみ部３１２を有する。へこみ部３１２には、三角状突起３１１がひっかかる孔３１３があり、これにより、上帽体１と下帽体２は係合される。係合を解除する場合は、内側から三角状突起３１１を押し出せばいい。
【００１２】
ヒンジ４は、上帽体１を回動部６に対して回動させるためのものであればいい。
回動部６の位置は、下帽体１の正面、側面、後面など特に限定されないが、結合手段３の反対側面にあるほうが、組立て状態における、上帽体１の下帽体２への固定がより確実になされ好ましい。例えば、結合手段３が右側面にあるのならその対面の左側面にあるのが望ましい。また、回動部６の大きさ、形状も適宜決めうる。
【００１３】
回動軸５の回動部６における位置は、上帽体１の形状、上帽体１と下帽体２の分割箇所などにもよるが、上帽体１が回動部６とヒンジ４より下帽体の上から内側へ、又は内側から上へと、下帽体２の外側を回動するように適宜決めうる。上帽体１は、下帽体２の内側に完全に収納されることが望ましいが、一部が収納される状態であってもよい。
【００１４】
本発明の折畳みヘルメットは、組立て状態において、上帽体１の頭の入口側の縁部下向き面は、下帽体の頂側の縁部上向き面に当接していることが望ましい。そのことに、より上から衝撃があっても、上の分割部が下に落ち込むということがない。
隣接する分割部が当接する部分には、嵌め合せのための凹凸があってもいい。凹凸により雨の浸入が阻止される。
【発明の効果】
【００１５】
本発明の折畳みヘルメットであれば、しかし、ヒンジ接続部分多くなく、簡単に製造できる。
【図面の簡単な説明】
【００１６】
【図１】図１は、本発明の一つの折畳みヘルメットが組立て状態の斜視図である。
【図２】図２は、図１の矢印で示す線における断面図である。
【図３】図３は、本発明の一つの折畳みヘルメットが折畳まれる途中の斜視図である。
【図４】図４は、図３の矢印で示す線における断面図である。
【図５】図５は、本発明の一つの折畳みヘルメットが折畳まれた状態の斜視図である。
【図６】図６は、図５の矢印で示す線における断面図である。
【図７】図７は、固定手段３の一例である。
【図８】図８は、固定手段３の別の例である。
【図９】図９は、固定手段３のさらに別の例である。
【発明を実施するための形態】
【００１７】
以下、図面を参照しながら、本発明の実施例について説明する。
【実施例１】
【００１８】
図１は、本発明の一つの折畳みヘルメットの組立て状態の斜視図である。１は上帽体、２は下帽体、６は、下帽体の左側面にある長方形状の回動部である。
本実施例では、下帽体１とその他の分割部２は、硬質の合成樹脂の内側に衝撃を吸収するための発泡スチロールが一体成型されたものとなっている。
【００１９】
図２は、図１の矢印で示す線における断面図である。
右側面には、結合手段３がある。本実施例では、図７のバックル式を用いている。４は、ヒンジである。５は、回動部６の左右方向の厚み内に、水平で前後に伸びる回動軸である。回動部６に当接する下帽体の面には回動軸５の軸受けである回動孔がある（図示しない）。
【００２０】
図３は、本発明の一つの折畳みヘルメットが折畳まれる途中の斜視図である。上帽体１が固定手段３による下帽体２との係合をはずれ、回動部６が回動し、ヒンジ４により帽体１の頂側が下向けになっている。
【００２１】
図４は、図３の矢印で示す線における断面図である。３１は固定手段３の雄の係合部、３２は雌の係合部である。
【００２２】
図５は、本発明の一つの折畳みヘルメットが折畳まれた状態の斜視図である。回動部６が反転し、上帽１が下帽体２の内側に収まった状態になっている。
【００２３】
図６は、図５の矢印で示す線における断面図である。
以上、図１の組立て状態から図６の折畳まれた状態にいたる説明したが、図６の折畳まれた状態から図１の組立て状態にするには、逆をたどればいい。
【符号の説明】
【００２４】
１  上帽体
２  下帽体
３  固定手段
３１  雄の係合部
３２  雌の係合部
３３  台座
３４  ピン
３５  レバー
３６  ピン
３７  継手
３８  フック
３９  係止部
３１０  出っ張り部分
３１１  三角状突起
３１２  へこみ部
３１３  孔
４  ヒンジ
５  回動軸
６  回動部
【図１】
2019194376.tif 000003
【図２】
2019194376.tif 000004
【図３】
2019194376.tif 000005
【図４】
2019194376.tif 000006
【図５】
2019194376.tif 000007
【図６】
2019194376.tif 000008
【図７】
2019194376.tif 000009
【図８】
2019194376.tif 000010
【図９】
2019194376.tif 000011